(57)【要約】【課題】操作簡単、構造簡単、容易に組立てできる水深測定装置を提供する。【解決手段】浮き（１０）と、取付けパイプ（２０）と、錘（３０）と、紐状体（４０）を備える水深測定装置であって、浮き（１０）は一端に結合部（１３）を有する浮き本体（１１）を有し、取付けパイプ（２０）は軟質部材から成り、内部に中空部（２１）が形成され、中空部（２１）の一端が浮き（１０）における結合部（１３）と連接され、取付けパイプ（２０）の外側に貫通孔（２２）が形成され、紐状体（４０）の一端が取付けパイプ（２０）の貫通孔（２２）に配設されると共に、他端に錘（３０）が設けられることを特徴とする。【選択図】    図１
2004317127.tif 000002
【特許請求の範囲】
【請求項１】
浮き（１０）と、取付けパイプ（２０）と、錘（３０）と、紐状体（４０）を備える水深測定装置であって、
浮き（１０）は一端に結合部（１３）を有する浮き本体（１１）を有し、
取付けパイプ（２０）は軟質部材から成り、内部に中空部（２１）が形成され、中空部（２１）の一端が浮き（１０）における結合部（１３）と連接され、取付けパイプ（２０）の外側に貫通孔（２２）が形成され、
紐状体（４０）の一端が取付けパイプ（２０）の貫通孔（２２）に配設されると共に、他端に錘（３０）が設けられることを特徴とする、水深測定装置。
【請求項２】
浮き本体（１１）はだ円形であり、結合部（１３）と対する他端に重量調整部（１２）が設けられ、結合部（１３）の内部に内ねじ山（１３１）が設けられ、取付けパイプ（２０）における中空部（２１）の一端に結合部（１３）の内ねじ山（１３１）と螺合するねじロッド（２１１）が設けられ、
錘（３０）は、所定の重量を有する錘本体（３１）と位置決め部材（３２）とを備え、錘本体（３１）の上部に位置決め部材（３２）を設置するため引掛けリング（３１１）が設けられ、位置決め部材（３２）の一側にフック（３２１）が設けられると共に、フック（３２１）の一端にパイプ（３２２）が設けられ、紐状体（４０）の一端が取り付けパイプ（２０）に配設されると共に、他端にフック（３２１）に引掛けるための引掛け部（４１）が設けられることを特徴とする、請求項１に記載の水深測定装置。
【請求項３】
取付けパイプ（２０）の表面に貫通孔（２２）と連通する溝（２４）が形成され、取付けパイプ（２０）に溝（２５１）と溝（２５１）の両側に設ける係合凸部（２５２）を有する係止ブロック（２５）が設けられ、係合凸部（２５２）に係合ブロック（２６）が設けられ、更に、取付けパイプ（２０）の中空部（２１）に固定ブロック（２３）を挿入することを特徴とする、請求項１又は請求項２に記載の水深測定装置。
【発明の詳細な説明】
【０００１】
【発明の属する技術分野】
本発明は、水深を測定するものであり、特に操作簡単、構造簡単、容易に組立てできる水深測定装置に関するものである。
【０００２】
【従来の技術】
釣りの場合、異なる釣り場の水深を測定することは非常に重要なことであり、従来の水深を測定する方法は、釣り竿と繋がっているみち糸に設ける浮きと錘を用い、数回で浮きと錘を投げ出す及び回収すると共に、浮き及び錘との距離を調整することにより、水深の測定を行う。この浮きと錘を投げ出す及び回収することを繰返す操作方法は時間がかかり、面倒であるので、非常に不便である。この問題を解決するため、台湾実用新案公告第４６１２４７号の「深浅の測定用浮き」が出願され、その浮きは錘の上方におけるみち糸に設ける本体を有し、この本体がプーリーによってみち糸と連結され、プーリーの一側に脱落防止ブロックが設けられると共に、脱落防止ブロックにスプリングを設けることにより、係止ブロックと固定する。使用者は、脱落防止ブロックをゆるめると共に、浮き及び錘との間における糸の長さを調整することにより、水深の測定を行う。
【０００３】
【本発明が解決しようとする課題】
しかしながら、上記従来の浮きは、水深を簡単に測定できるが、使用する際、以下のような問題がある。
１．上記の浮きを使用する際、必ず脱落防止ブロックをゆるめた後、みち糸をプーリーに設けなければならないため、非常に面倒であり、且つ脱落防止ブロックを何度もゆるめると、部材の損耗が発生しやすくなる。
２．上記の浮きに用いる部材数が多いと共に、製造と組立てることが非常に複雑であるので、実用性が低い。
【０００４】
そこで、出願されたのが本発明であって、操作簡単、構造簡単、容易に組立てできる水深測定装置を提供することを目的としている。
【０００５】
【課題を解決するための手段】
本願の請求項１の発明は、浮き（１０）と、取付けパイプ（２０）と、錘（３０）と、紐状体（４０）を備える水深測定装置であって、
浮き（１０）は一端に結合部（１３）を有する浮き本体（１１）を有し、
取付けパイプ（２０）は軟質部材から成り、内部に中空部（２１）が形成され、中空部（２１）の一端が浮き（１０）における結合部（１３）と連接され、取付けパイプ（２０）の外側に貫通孔（２２）が形成され、
紐状体（４０）の一端が取付けパイプ（２０）の貫通孔（２２）に設けられると共に、他端に錘（３０）が設けられることを特徴とする水深測定装置及び、
本願の請求項２の発明は、浮き本体（１１）はだ円形であり、結合部（１３）と対する他端に重量調整部（１２）が設けられ、結合部（１３）の内部に内ねじ山（１３１）が設けられ、取付けパイプ（２０）における中空部（２１）の一端に結合部（１３）の内ねじ山（１３１）と螺合するねじロッド（２１１）が設けられ、
錘（３０）は、所定の重量を有する錘本体（３１）と位置決め部材（３２）とを備え、錘本体（３１）の上部に位置決め部材（３２）を設置するための引掛けリング（３１１）が設けられ、位置決め部材（３２）の一側にフック（３２１）が設けられると共に、フック（３２１）の一端にプラスチックパイプ（３２２）が設けられ、紐状体（４０）の一端が取り付けパイプ（２０）に設けられると共に、他端にフック（３２１）に引掛けるため引掛け部（４１）が設けられることを特徴とする請求項１に記載の水深測定装置及び、
本願の請求項３の発明は、取付けパイプ（２０）の表面に貫通孔（２２）と連通する溝（２４）が形成され、取付けパイプ（２０）に溝（２５１）と溝（２５１）の両側に設ける係合凸部（２５２）を有する係止ブロック（２５）が設けられ、係合凸部（２５２）に係合ブロック（２６）が設けられ、更に、取付けパイプ（２０）の中空部（２１）に固定ブロック（２３）を挿入することを特徴とする請求項１又は請求項２に記載の水深測定装置、を提供する。
【０００６】
【作用】
本発明は上記の課題を解決するものであり、浮きと錘などの部材を水中に投げ込み、この際、浮きは水面に浮いて、錘が水の底まで沈む前に、浮きの浮き本体が水面に浮立ち、錘が水の底まで沈んだ後に、浮きの浮き本体が横倒して浮かぶことにより、水深を測定したことを確認できる。
【０００７】
【発明の実施の形態】
以下、添付図面を参照して本発明の好適な実施の形態を詳細に説明する。
【０００８】
図１は本発明に係わる水深測定装置の分解斜視図であり、図２は本発明に係わる水深測定装置の斜視図であり、図３は本発明に係わる水深測定装置の第一使用状態を示す参考図であり、図４は本発明に係わる水深測定装置の第二使用状態を示す参考図であり、図５は本発明に係わる水深測定装置の第三使用状態を示す参考図であり、図６は本発明に係わる水深測定装置を釣り竿に用いる状態を示す平面図であり、図７は本発明に係わる水深測定装置の取付けパイプに固定ブロックを設置する状態を示す平面図であり、図８は本発明に係わる水深測定装置における取付けパイプの他の実施例を示す分解斜視図であり、図９は本発明に係わる水深測定装置における取付けパイプの他の実施例を示す斜視図である。
【０００９】
図１に示すように、本発明に係わる水深測定装置は、浮き（１０）と、取付けパイプ（２０）と、錘（３０）と、紐状体（４０）を備え、浮き（１０）は浮力を有し浮ける材質からなる浮き本体（１１）を有し、その表面に蛍光塗料を塗布し、本実施形態において浮き本体（１１）はだ円形を呈し、一端に重量調整部（１２）が設けられると共に、他端に結合部（１３）が設けられ、結合部（１３）の内部に内ねじ山（１３１）が設けられる。
【００１０】
取付けパイプ（２０）は、例えばゴムなどの軟質部材から成り、内部に中空部（２１）が形成され、中空部（２１）の一端に浮き（１０）における結合部（１３）の内ねじ山（１３１）と螺合するねじロッド（２１１）が設けられ、取付けパイプ（２０）の外側に貫通孔（２２）が形成される。
【００１１】
錘（３０）は、所定の重量を有する錘本体（３１）と位置決め部材（３２）とを備え、錘本体（３１）の上部に位置決め部材（３２）を設置するため引掛けリング（３１１）が設けられ、位置決め部材（３２）の一側にフック（３２１）が設けられると共に、フック（３２１）の一端にプラスチックパイプ（３２２）が設けられ、紐状体（４０）の一端にフック（３２１）に引掛けるため引掛け部（４１）が設けられると共に、他端が取り付けパイプ（２０）に配設される。
【００１２】
図２に示すように、本発明に係わる水深測定装置を組合わせる際、取り付けパイプ（２０）のねじロッド（２１１）と浮き（１０）における結合部（１３）の内ねじ山（１３１）を螺合することによって取付けパイプ（２０）を浮き（１０）と連接し、紐状体（４０）の一端を取付けパイプ（２０）の中空部（２１）から貫通孔（２２）に貫通させると共に、他端における引掛け部（４１）をフック（３２１）に引掛けた後、プラスチック（３２２）をフック（３２１）に設けることにより、引掛け部（４１）がフック（３２１）から脱落することを防止する。
【００１３】
図３に示すように、水深を測定する場合、浮き（１０）と錘（３０）などの部材を水中に投げ込み、この際、浮き（１０）は水面に浮いて、錘（３０）が水の底まで沈む前に、浮き（１０）の浮き本体（１１）が水面に浮立って、図４に示すように、錘（３０）が水の底まで沈んだ後に、浮き（１０）の浮き本体（１１）が横倒して浮かぶことにより、水深（α）を測定したことを判明する。
【００１４】
又、図５に示すように、錘（３０）が水の底まで沈んだ後、使用者は浮き（１０）と錘（３０）を水中から取り出し、この際、取付けパイプ（２０）が浮き（１０）の重量によって貫通孔（２２）箇所から折り曲げられると共に、この箇所における紐状体（４０）も取付けパイプ（２０）と一緒に折り曲げられることにより、紐状体（４０）と取付けパイプ（２０）との相互位置を固定し、従って、浮き（１０）から錘（３０）までの紐状体（４０）の長さが水深（α）であることを判明でき、又、浮き（１０）に重量調整部（１２）が設けられることにより、浮き（１０）と錘（３０）を水中から取り出す際、紐状体（４０）と取付けパイプ（２０）との相互位置のより優れた固定効果を得ることができる。
【００１５】
更に、図６に示すように、本発明に係わる水深測定装置を釣り竿（５０）に使用する場合、先ずみち糸（５１）の一端が取付けパイプ（２０）の貫通孔（２２）を貫通した後、釣針（５２）及び錘（３０）と連接し、更に、取付けパイプ（２０）におけるねじロッド（２１１）を浮き（１０）における結合部（１３）の内ねじ山（１３１）と螺合することにより、取付けパイプ（２０）が浮き（１０）の一端に設けられ、又、釣針（５２）の一端がプラスチックパイプ（３２２）の内部に挿入することにより、水深測定の邪魔を防止する。
【００１６】
又、水深を測定した後、使用者は直接に錘（３０）と浮き（１０）を取り外し、単に取付けパイプ（２０）をみち糸（５１）に残留させることにより、釣りを行うことができ、又、図７に示すように、取付けパイプ（２０）及びみち糸（５１）との相互位置を固定するため、取付けパイプ（２０）の中空部（２１）に固定ブロック（２３）を挿入することにより、取付けパイプ（２０）及びみち糸（５１）との相互位置を固定することを達成できる。
【００１７】
更に、図８及び図９に示すように、取付けパイプ（２０）の表面に貫通孔（２２）と連通する溝（２４）が形成され、水深を測定した後、みち糸（５１）がこの溝（２４）を通じて取付けパイプ（２０）と分離され、又、水深を測定する際、溝（２５１）と係合凸部（２５２）を有する係止ブロック（２５）が取付けパイプ（２０）に設けられると共に、係合凸部（２５２）に係合ブロック（２６）が設けられることにより、取付けパイプ（２０）をみち糸（５１）から脱落することを防止し、又、その係合凸部（２５２）が溝（２５１）の両側に設けられる。
【００１８】
【発明の効果】
本発明は以上説明したようになるから、次のような効果を得ることができる。１．本発明に係わる水深測定装置の使用方式は、単に浮きと錘が水中に投げ込まれ、一回だけで水深の測定を行うことができ、且つ本発明は釣り竿に用いることができるので、大変便利である。
２．本発明に係わる水深測定装置を組立てる方法は、取付けパイプを浮きの一端と結合すると共に、紐状体の両端が夫々取付けパイプと錘と連接されることによって行うので、大変簡単であり、釣り活動に非常に適している。
【図面の簡単な説明】
【図１】本発明に係わる水深測定装置の分解斜視図である。
【図２】本発明に係わる水深測定装置の斜視図である。
【図３】本発明に係わる水深測定装置の第一使用状態を示す参考図である。
【図４】本発明に係わる水深測定装置の第二使用状態を示す参考図である。
【図５】本発明に係わる水深測定装置の第三使用状態を示す参考図である。
【図６】本発明に係わる水深測定装置を釣り竿に用いる状態を示す平面図である。
【図７】本発明に係わる水深測定装置の取付けパイプにブロックを設置する状態を示す平面図である。
【図８】本発明に係わる水深測定装置における取付けパイプの他の実施例を示す分解斜視図である。
【図９】本発明に係わる水深測定装置における取付けパイプの他の実施例を示す斜視図である。
【符号の説明】
１０        浮き
１１        浮き本体
１２        重量調整部
１３        結合部
１３１      内ねじ山
２０        取付けパイプ
２１        中空部
２１１      ねじロッド
２２        貫通孔
２３        固定ブロック
２４        溝
２５        係止ブロック
２５１      溝
２５２      係合凸部
２６        係合ブロック
３０        錘
３１        錘本体
３１１      引掛けリング
３２        位置決め部材
３２１      フック
３２２      プラスチックパイプ
４０        紐状体
４１        引掛け部
５０        釣り竿
５１        みち糸
５２        釣針
【図１】
2004317127.tif 000003
【図２】
2004317127.tif 000004
【図３】
2004317127.tif 000005
【図４】
2004317127.tif 000006
【図５】
2004317127.tif 000007
【図６】
2004317127.tif 000008
【図７】
2004317127.tif 000009
【図８】
2004317127.tif 000010
【図９】
2004317127.tif 000011